(57)【要約】【課題】  部品点数を増加することなくクリック感を確保し、且つ、耐静電気性が向上するとともに操作摘子の温度上昇を防止することができる調光装置を提供する。【解決手段】  調光装置１は、操作軸１４ａを有して調光の制御設定に用いられる回転式のボリューム１４と、操作軸１４ａが回転自在に挿通され、操作軸１４ａに近接する内周面を有する挿通孔４ｂ、及び該挿通孔４ｂの周辺部を表面側に突出させて裏部に収納部２０ａが形成された突出部２０を備えてボリューム１４を収納する器体２と、操作軸１４ａの先端側に取り付けられ、裏部に形成された凹部２４ａに突出部２０を収納して器体２の表面側に回転自在に配置される操作摘子２４とを具備し、突出部２０の外周面に突設された突起を備えるとともに、操作摘子２４の凹部２４ａの内側面に前記突起を乗り越え可能に突設されたクリック用突部２４ｄを備えている。【選択図】図１
2006012637.tif 000002
【特許請求の範囲】
【請求項１】
回転操作される操作軸を有して調光の制御設定に用いられる回転式の可変抵抗器と、外部電源と照明負荷の間の通電をオン・オフするスイッチと、前記操作軸が回転自在に挿通され、前記操作軸に近接する内周面を有する挿通孔、及び該挿通孔の周辺部を表面側に突出させて裏部に収納部が形成された突出部を備えて、前記可変抵抗器及び前記スイッチを収納する器体と、前記挿通孔を挿通した前記操作軸の先端側に取り付けられ、裏部に形成された凹部に前記突出部を収納して前記器体の表面側に回転自在に配置される操作摘子と、前記操作軸に取り付けられて前記収納部に収納され、前記操作摘子を所定角度に位置させた際に前記スイッチを駆動して前記外部電源と前記照明負荷の間の通電をオフさせる駆動手段とを具備し、前記突出部の外周面に突起を突設するとともに、前記操作摘子を前記所定角度に回転させた際に、前記突起を乗り越えるクリック用突部を前記操作摘子の凹部の内側面に突設していることを特徴とする調光装置。
【発明の詳細な説明】
【技術分野】
【０００１】
本発明は、照明負荷を所望の調光レベルで点灯させる調光装置に関する。
【背景技術】
【０００２】
従来から、壁面のような施工面に一部を埋め込んだ形で施工され照明負荷を所望の調光レベルで点灯させるように操作される調光装置が提供されている。
【０００３】
この種の調光装置としては、白熱灯などの照明負荷の調光レベルを設定する調光設定器として、回転式の可変抵抗器（以下、ボリュームという）と、このボリュームの操作軸に嵌合されてカバーの前面の略中央に形成された円形状の孔に後方から挿入される操作摘子とを備えて、操作摘子から突設されて操作摘子を所定位置まで操作したときに照明負荷をオフするようにマイクロスイッチの操作片を押圧する押圧部の前部にＶ字状の凹部を形成するとともに、カバーの後面側の上記所定位置に対応する部位に前記凹部に係脱する係合突起を突設したものが提供されている（特許文献１、特許文献２）。
【０００４】
上記のような従来の調光装置としては、図６（ａ）〜（ｃ）に示すような調光装置１０１が提供されている。調光装置１０１は、前面が開口した箱状のボディ１０２、及びボディ１０２の前面に被着され略中央部に円形状の挿通孔１０３ａを備えたカバー１０３からなる器体１０４と、操作軸１０５ａを有する回転式のボリューム１０５、マイクロスイッチ１０６、及び調光制御用の回路部を備えて器体１０４内に収納される回路基板部１０７と、操作軸１０５ａの先部に嵌合されてカバー１０３の挿通孔１０３ａを回転自在に挿通する操作摘子１０８とを具備している。
【０００５】
器体１０４は、上述したように前面が開口した直方体の箱状のボディ１０２と、図６（ａ）に示すように略中央部に表裏に貫通する円形状の挿通孔１０３ａを備えたカバー１０３とから構成されている。このカバー１０３の裏面側の挿通孔１０３ａの周辺部には、図６（ｃ）に示すような係合突起１０３ｂが突設されている。
【０００６】
回路基板部１０７は、前方に突出した操作軸１０５ａの回転操作によって抵抗値が調整される回転式のボリューム１０５と、外部電源（図示せず）と照明負荷（図示せず）との直列回路に挿入されて、操作片であるアクチュエータ１０６ａが押圧されているときのみ通電をオフし、アクチュエータ１０６ａが押圧されていないときは通電をオンに維持するマイクロスイッチ１０６と、ボリューム１０５によって照明負荷を所望の調光レベルで点灯するための調光制御用の回路部を備えており、ボリューム１０５の操作軸１０５ａを前方に向けて器体１０４に収納されている。
【０００７】
操作摘子１０８は、後壁が全面に亘って開口した円柱の箱状に形成され、前壁の後面側の中央からは操作軸１０５ａと嵌合する円筒部１０８ａが後方へ向けて突設されている。また、操作摘子１０８の後端部には鍔部１０８ｂが設けられており、鍔部１０８ｂの一部が図６（ｂ）に示すように側方（図６（ｂ）における左方）へ延出されて延設片１０８ｃが形成されるとともに、スイッチ１０６のアクチュエータ１０６ａを押圧するための押圧片（図示せず）が形成されている。この延設片１０８ｃの前面部には図６（ｃ）に示すように、カバー１０３の係合突起１０３ｂが係脱可能なＶ字状の凹部１０９が形成されている。この操作摘子１０８は、円筒部１０８ａで操作軸１０５ａと嵌合されるとともに、カバー１０３の後面側から挿通孔１０３ａに差し込まれて、挿通孔１０３ａを回転自在に挿通している。また、操作軸１０５ａと操作摘子１０８との間には、弾性体１１０が介装してあり、この弾性体１１０によって、操作摘子１０８をカバー１０３側へ付勢して、カバー１０３と操作摘子１０８との間に隙間が生じるのを防止している。
【特許文献１】特開平１１−１６６８４号公報（第１２図）
【特許文献２】特開平１１−８７０７２号公報（第６図）
【発明の開示】
【発明が解決しようとする課題】
【０００８】
以上の部材により構成された調光装置１０１では、操作摘子１０８を所定角度に位置させたときに、操作摘子１０８の押圧片によってスイッチ１０６のアクチュエータ１０６ａを押圧して外部電源と照明負荷との通電をオフし、照明負荷を完全に消灯するようにしてあり、このとき、図６（ｃ）に示すように、カバー１０３に設けた係合突起１０３ｂと操作摘子１０８に設けた凹部１０９とが係脱することによって、調光装置１０１の操作時にクリック感を得ることができるようになっている。
【０００９】
したがって、上記の調光装置１０１によれば、高価で大きく、また日本メーカーではあまり生産されていないクリック感を備えたスイッチ付きのボリュームを使用しなくても済むのであるが、調光装置１０１は、図６（ｂ）に示すように、スイッチ１０６のアクチュエータ１０６ａを操作摘子１０８の押圧片によって押圧するために、挿通孔１０３ａを操作摘子１０８を挿通できる程度の大きさに形成する必要がある。
【００１０】
そのため、操作摘子１０８を操作した際に静電気が生じ易いカバー１０３の挿通孔１０３ａ付近と器体１０４内の回路基板部１０７との間の沿面距離が短くなっており、これにより、調光装置１０１の操作時に生じた静電気が器体１０４内の回路基板部１０７に放電して電子部品や回路を破壊してしまうという問題や、回路基板部１０７で生じた熱が操作摘子１０８へと伝わって操作摘子１０８が熱を持ってしまうという問題を生じていた。
【００１１】
上記の問題は、挿通孔１０３ａを小さくして沿面距離を長くとることで解決することが可能であったが、この挿通孔１０３ａは、上述したようにスイッチ１０６のアクチュエータ１０６ａを操作摘子１０８の押圧片で押圧するために、操作摘子１０８を挿通できる程度の大きさに形成しなくてはならないため、上記の問題を解決できるほど沿面距離を長くすることができなかった。
【００１２】
一方、操作摘子１０８をカバー１０３の前面に配置し、スイッチ１０６のアクチュエータ１０６ａを押圧するための部材を新たに設けることとすれば、挿通孔１０３ａを小さくすることができるため、上記の問題を解決することができるが、この場合、凹部１０９と係合突起１０３ｂとが係脱できなくなるので、操作時にクリック感が得られなくなり、クリック感を得るためには部品点数を増やす必要があった。
【００１３】
本発明は上述の点に鑑みて為されたもので、その目的は、部品点数を増加することなくクリック感を確保し、且つ、耐静電気性が向上するとともに操作摘子の温度上昇を防止することができる調光装置を提供することである。
【課題を解決するための手段】
【００１４】
上述の課題を解決するために、請求項１の発明では、回転操作される操作軸を有して調光の制御設定に用いられる回転式の可変抵抗器と、外部電源と照明負荷の間の通電をオン・オフするスイッチと、前記操作軸が回転自在に挿通され、前記操作軸に近接する内周面を有する挿通孔、及び該挿通孔の周辺部を表面側に突出させて裏部に収納部が形成された突出部を備えて、前記可変抵抗器及び前記スイッチを収納する器体と、前記挿通孔を挿通した前記操作軸の先端側に取り付けられ、裏部に形成された凹部に前記突出部を収納して前記器体の表面側に回転自在に配置される操作摘子と、前記操作軸に取り付けられて前記収納部に収納され、前記操作摘子を所定角度に位置させた際に前記スイッチを駆動して前記外部電源と前記照明負荷の間の通電をオフさせる駆動手段とを具備し、前記突出部の外周面に突起を突設するとともに、前記操作摘子を前記所定角度に回転させた際に、前記突起を乗り越えるクリック用突部を前記操作摘子の凹部の内側面に突設していることを特徴とする調光装置とした。
【００１５】
請求項１の発明によれば、カバーの操作軸が挿通される挿通孔の周辺部を突出させて形成した突出部の外周面に突起を突設するとともに、この突起を乗り越えるクリック用突部を操作摘子に突出部を収納するために形成した凹部の内側面に突設してあるので、部品点数を増加することなくクリック感を確保することができる。加えて、操作摘子に形成した凹部に突出部が収納されているので、操作摘子を挿通するために挿通孔を大きくする必要がなくなり、そのため操作軸に対して挿通孔の内周面を近接させて器体表面から内部への沿面距離を長くすることができ、これにより操作摘子を回転操作した際に生じる静電気が器体内部へ放電し難くなり、且つ例えば器体に収納されている電子部品で発生した熱が操作摘子に伝わり難くなるから、耐静電気性が向上するとともに操作摘子の温度上昇を防止することができる。
【発明の効果】
【００１６】
本発明は、突出部の外周面に突起を突設するとともに、この突起を乗り越えるクリック用突部を突出部を収納する凹部の内側面に突設してあるので、部品点数を増加することなくクリック感を確保することができ、加えて、操作摘子に形成した凹部に突出部が収納されているので、器体表面から内部への沿面距離を長くすることができ、これにより耐静電気性が向上するとともに操作摘子の温度上昇を防止することができる。
【発明を実施するための最良の形態】
【００１７】
以下に、図１乃至５を用いて本発明の照明装置１について説明する。尚、図１において、手前方向を調光装置１の上方、左方向を調光装置１の右方、右方向を調光装置１の左方、上方向を調光装置１の表面側、下方向を調光装置１の裏面側とする。
【００１８】
本発明の調光装置１は、図１に示すように、回転操作される操作軸１４ａを有して調光の制御設定に用いられる回転式のボリューム１４、及び外部電源（図示せず）と照明負荷（図示せず）の間の通電をオン・オフするスイッチ１５を備えた回路基板部１３と、操作軸１４ａが回転自在に挿通され、操作軸１４ａに近接する内周面を有する挿通孔４ｂ、及び該挿通孔４ｂの周辺部を表面側に突出させて裏部に収納部２０ａが形成された突出部２０を備えて、放熱板１１，１２が取り付けられた回路基板部１３を収納する器体２と、挿通孔４ｂを挿通した操作軸１４ａの先端側に取り付けられ、裏部に形成された凹部２４ａに突出部２０を収納して器体２の表面側に回転自在に配置される操作摘子２４と、操作軸１４ａに取り付けられて収納部２０ａに収納され、操作摘子２４を所定角度に位置させた際にスイッチ１５を駆動して外部電源と照明負荷の間の通電をオフさせる駆動手段となる駆動部１７と、操作摘子２４が回転自在に挿通される開口部２５ａを有して器体２の表面部に被着される化粧プレート２５とを具備している。
【００１９】
器体２は、表面部が開口したボディ３と、ボディ３の表面側に被着されるカバー４とから構成されている。ボディ３は、例えば熱硬化性合成樹脂を用いて表面部が開口した直方体の箱状に形成され、その内部空間は仕切り壁５によって仕切られて、ボディ３の右下部の端子板収納部６（図３（ａ）参照）と、回路基板収納部７とに２分されている。この端子板収納部６の下部には、図４（ａ）に示すように、ボディ３の表裏方向に走る孔部６ａが形成されるとともに、ボディ３の裏面部の端子板収納部６に対応する部位には、外部電源（図示せず）と照明負荷（図示せず）からの電線８，８（図５（ｂ）参照）をボディ３の端子板収納部６内に挿入するための一対の電線挿入孔６ｂ，６ｂが形成されている。また、ボディ３の裏面部の回路基板収納部７に対応する部位には、器体２内で発生した熱を外方へ逃がすための横長のスリット７ａが１９個形成され、ボディ３の側面部の表面側には、図５（ａ）に示すように取付ねじ９に対応するねじ孔（図示せず）を備えた延出部３ａが３つ延出されており、取付ねじ９を用いてカバー４をボディ３に取り付けることができるようになっている。
【００２０】
ボディ３の端子板収納部６には、端子板（図示せず）及び鎖錠ばね（図示せず）から構成されたいわゆる速結端子が各電線挿入孔６ｂ，６ｂに対応して配置され、前記鎖錠ばねを押圧してこれら速結端子から電線を取り外すための解除レバー１０（図５（ａ），（ｂ）参照）が孔部６ａに揺動自在に配置されている。また、ボディ３の回路基板収納部７には、第１の放熱板１１と第２の放熱板１２とを取り付けられた回路基板部１３が収納されている。
【００２１】
第１の放熱板１１は、図３（ａ）に示すように、平板部１１ａと、平板部１１ａから垂直方向に一体に形成された平板状の片部１１ｂとを有して金属板から折り曲げ形成されている。第１の放熱板１１は、一枚の金属板から上述のように片部１１ｂを折り曲げ形成されているため、平板部１１ａの略中央部には開口部１１ｃが形成されている。また平板部１１ａには、器体２を壁面等の施工面に取り付けるための取付ねじ（図示せず）が挿通される一対の挿通孔１１ｄが形成されるとともに、取付ねじ９が挿通される挿通孔１１ｅをボディ３の延出部３ａに対応して形成されている。
【００２２】
第２の放熱板１２は、図５（ｂ）に示すように、金属板を用いて横辺部１２ａ及び縦辺部１２ｂを有するＬ字形に折り曲げ形成されるとともに、縦辺部１２ｂの両側部を横辺部１２ａのある面側へ折り曲げて側片部１２ｃ，１２ｃが形成されている。また、縦辺部１２ｂは、第２の放熱板１２をボディ３の端子板収納部７に収納できるように、仕切り壁５と当接する部位を切り欠いてある。
【００２３】
回路基板部１３は、回転操作される操作軸１４ａを有して調光の制御設定に用いられる回転式のボリューム１４と、外部電源と照明負荷との間の通電をオン・オフするためのスイッチ１５と、スイッチング素子１６，１６（図５（ｂ）参照）、及びボディ３の端子板収納部６に収納された前記端子板と電気的に接続される一対の端子部（図示せず）を有し、ボリューム１４による制御設定によって照明負荷を所望の調光レベルで点灯するための調光制御用の回路とを備えている。尚、本発明の調光装置１の回路構成は一般的な調光装置の回路構成と同様のものを用いることができるため、ここでは説明を一部省略する。
【００２４】
ボリューム１４は、操作軸１４ａを回転操作することで、抵抗を任意の値に調整することができる回転式の可変抵抗器であり、操作軸１４ａを回路基板部１３の表面側へ突出させて回路基板部１３に実装されている。スイッチ１５は、例えばアクチュエータ１５ａを備えたマイクロスイッチであり、アクチュエータ１５ａが押圧されているときのみオフ状態となり、アクチュエータ１５ａが押圧されていないときはオン状態を維持するものである。このスイッチ１５は、外部電源と電気的に接続される端子板と照明負荷と電気的に接続される端子板の間に電気的に接続されて、アクチュエータ１５ａを回路基板部１３の表面側へ向けて、回路基板部１３に実装されている。スイッチング素子１６，１６は、例えば、ＭＯＳＦＥＴであり、図５（ｂ）に示すように、放熱板に取付ねじ１８を用いて取り付けるための取付孔（図示せず）を有し、放熱板に接触して放熱を行うための本体部１６ａと、回路基板部１３に実装するための端子部１６ｂとから構成され、端子部１６ｂを用いて回路基板部１３に対して垂直方向に立設するように、回路基板部１３の裏面部の上端側に左右に並べて実装されている。
【００２５】
また、ボリューム１４の操作軸１４ａには、図１や図４（ａ）に示すように、駆動部１７が操作軸１４ａとともに回転するように取り付けられている。この駆動部１７は、例えば合成樹脂等から形成されて、操作軸１４ａに嵌合される略円筒状の筒部１７ａと、筒部１７ａの一端側に設けられた円盤状の鍔部１７ｂと、鍔部１７ｂから側方へ突出した規制突起１７ｃとを一体に備えている。加えて、駆動部１７には、ボリューム１４を照明負荷の調光レベルを下げるように操作して、操作軸１４ａを所定角度に位置させた際に、スイッチ１５のアクチュエータ１５ａを押圧してスイッチ１５を駆動し、外部電源と照明負荷の間の通電をオフするための押圧片（図示せず）が、鍔部１７ｂの裏面部から裏方へ一体に突設してある。
【００２６】
以上により構成された回路基板部１３によれば、照明負荷の調光レベルを下げる向きに操作軸１４ａを所定角度まで回転させると、スイッチ１５のアクチュエータ１５ａが駆動部１７の上記押圧片によって押圧操作されてスイッチ１５がオフとなり、照明負荷を完全に消灯することができる。すなわち、操作軸１４ａの操作によって、照明負荷のオン・オフと調光とを行うことができるようになっている。したがって、高価で大きく、また日本メーカーではあまり生産されていないスイッチ付きボリュームを使用しなくても済むのである。
【００２７】
カバー４は、例えば弾性を有する合成樹脂を用いて裏部に第１の放熱板１１の平板部１１ａを収納するための凹部４ａが形成された略平板状に形成されており、その中央部にはボリューム１４の操作軸１４ａが回転自在に挿通され、操作軸１４ａに近接する内周面を有した円形状の挿通孔４ｂを有するとともに、この挿通孔４ｂを中心とした周辺部をカバー４の表面側へ突出させて裏部に収納部２０ａが形成された円柱形状の突出部２０を有している。この収納部２０ａの底面部には、駆動部１７の規制突起１７ｃが当接されて操作軸１４ａの回転を規制する、下限規制部２１ａ及び上限規制部２１ｂを有した略Ｔ字状の規制リブ２１が突設されている。また、図３（ｂ）に示すように、突出部２０の外周面の左部には、上下方向に離間した突起２０ｂ，２０ｃが突設されている。
【００２８】
加えて、カバー４の裏面部には、図５（ｃ）に示すように板リブ２２、及び押さえリブ２３が一体に突設してある。板リブ２２は、平板状を有して、その長手方向を左右方向に添わせてカバー４の裏面部の上端側から裏方へ突設されている。押さえリブ２３は、カバー４の裏面部においてボディ３の端子板収納部６に対応する位置に突設されており、上下方向を長手方向とする直方体状を有し、解除レバー１０を押さえるための解除レバー押さえ部２３ａと、解除レバー押さえ部２３ａの上端部の両側部から左右方向へそれぞれ延設されて回路基板部１３を押さえるための回路基板押さえ部２３ｂ，２３ｂと、各回路基板押さえ部２３ｂ，２３ｂの先端部から下方へ延設されて電線８，８の先端部が当接される電線ストッパ２３ｃ，２３ｃと、解除レバー押さえ部２３ａの下端部側から裏方へ延設されて、端子部を外方から見えないように隠すとともに、端子部の絶縁距離を確保するための遮蔽板２３ｄとを一体に備えている。
【００２９】
さらに、カバー４には、ボディ３の延出部３ａのねじ孔に対応して形成され取付ねじ９が挿通される３つの挿通孔４ｃと、第１の放熱板１１の挿通孔１１ｄに対応して形成され器体２を壁面等の施工面に取り付けるための取付ねじ（図示せず）が挿通される一対の取付孔４ｄと、左右方向の両端側に上下方向に離間して形成された４つの係止孔４ｅとを備えている。
【００３０】
操作摘子２４は、例えば合成樹脂を用いて、裏部にカバー４の突出部２０を収納する凹部２４ａを有する円柱形状に形成され、凹部２４ａの開口縁には鍔部２４ｂが形成されている。また、凹部２４ａの底面の中央部には、カバー４の挿通孔４ｂの内径寸法よりやや小さい外径寸法を有して、ボリューム１４の操作軸１４ａの先端部と嵌合する円筒状の嵌合部２４ｃが突設されるとともに、クリック用突部２４ｄが突設されている。このクリック用突部２４ｄは、図４（ｂ）に示すように、弾性を有して操作摘子２４の中心軸方向に向かって尖鋭となった柱状に形成してあり、カバー４の突出部２０に設けた突起２０ｂを乗り越え可能としてある。尚、鍔部２４ｂの裏面側には、半球体状の突起部２４ｅが９０度間隔で４つ突設されており、この突起部２４ｅによってカバー４の表面上を滑らかに回転できるようになっている。さらに、操作摘子２４の表面部には、図２（ａ）に示すように、操作摘子２４を回転操作した量を知る目安となる目印２６が径方向に沿って形成されている。
【００３１】
化粧プレート２５は、例えば合成樹脂を用いて、中央部に操作摘子２４を回転自在に挿通可能な円形状の開口部２５ａを有するとともに、裏部にカバー４を収納できる凹部２５ｂを有する平板状に形成され、凹部２５ｂの底面には、カバー４に形成された４つの係止孔４ｅに対応する位置に、係止孔４ｅに引掛係止される係止突起２５ｃが突設されている。
【００３２】
以上により本発明の調光装置１は、構成されており、各部材は、以下のようにして配置されている。
【００３３】
ボディ３の端子板収納部６には、上述したように、端子板（図示せず）及び鎖錠ばね（図示せず）から構成されたいわゆる速結端子が各電線挿入孔６ｂ，６ｂに対応して配置され、これら速結端子から電線を取り外すための解除レバー１０（図５（ａ），（ｂ）参照）が孔部６ａに揺動自在に配置されている。
【００３４】
ボディ３の回路基板収納部７には、第１の放熱板１１と第２の放熱板１２とを取り付けられた回路基板部１３が収納される。ここで、回路基板部１３は、回路基板部１３の裏面部と第２の放熱板１２の縦辺部１２ｂとを対向させるとともに、スイッチング素子１６の端子部１６ｂが横辺部１２ａと並行しないようにずらして、横辺部１２ａの下面部にスイッチング素子１６，１６が位置するように配置されている。次に、回路基板部１３が位置決めされた第２の放熱板１２には、第１の放熱板１１が、図３（ａ）に示すように、平板部１１ａを回路基板部１３の表面側へ位置させて、開口部１２ｃからボリューム１４の操作軸１４ａ及びスイッチ１５のアクチュエータ１５ａを突出させるとともに、片部１１ｂを第２の放熱板１２の横辺部１２ａに、その上面側から重ねて配置されて、図５（ｂ）に示すように取付ねじ１９を用いて、第２の放熱板１２に取り付けられている。そして回路基板部１３は、取付ねじ１８，１８を用いてスイッチング素子１６，１６を第２の放熱板１２を介して第１の放熱板１１に固着することで取り付けられている。このようにして放熱板１１，１２が取り付けられた回路基板部１３は、図１に示すように、第２の放熱板１２の縦辺部１２ｂを回路基板収納部７の裏面部に、側片部１２ｃを回路基板収納部７の側面部に沿わせるとともに、第１の放熱板１１をボディ３の開口した表面部に位置させて、ボディ３の回路基板収納部７に収納されている。
【００３５】
上記のようにして回路基板部１３が回路基板収納部７に収納されたボディ３には、その表面側にカバー４が取り付けられている。このとき、カバー４は、凹部４ａに第１の放熱板１１の平板部１１ａを収納するとともに、収納部２０ａに駆動部１７を収納して、且つ、ボリューム１４の操作軸１４ａを挿通孔４ｂに挿通させてボディ３の表面側に被着され、カバー４の挿通孔４ｃと第１の放熱板１１の挿通孔１１ｅとを挿通させた取付ねじ９をボディ３の延出部３ａのねじ孔にねじ止めすることでボディ３に取り付けられている。ここで、板リブ２２は、回路基板部１３のスイッチング素子１６の端子部１６ｂと第１の放熱板１１の片部１１ｂとの間に介在しており、端子部１６ｂと片部１１ｂとの間の沿面距離を長くして、スイッチング素子１６と第１の放熱板１１との間の絶縁性を確保している。また、押さえリブ２３は端子板収納部６内に位置しており、解除レバー押さえ部２３ａにより解除レバー１０を押さえるとともに、回路基板押さえ部２３ｂにより回路基板部１３を押さえ、遮蔽板２３ｃにより速結端子の絶縁距離を確保している。
【００３６】
そしてボディ３に被着されたカバー４の表面側には、操作摘子２４と化粧カバー２５とが取り付けられている。操作摘子２４は、嵌合部２４ｃに操作軸１４ａの先端部が嵌合されるとともに、鍔部２４ｂの裏面側に設けた突起部２４ｅをカバー４の表面に当接させて、カバー４に回転自在に配置されている。このとき、図１に示すように、操作摘子２４の嵌合部２４ｃと操作軸１４ａとは、カバー４の挿通孔４ｂにおいて嵌合しており、カバー４の挿通孔４ｂの内周面は、嵌合部２４ｃの外周面に近接しているから、器体２内の回路基板部１３と、器体２表面との間の沿面距離を長くすることができ、これによって、調光装置１の操作時に操作摘子２４の鍔部２４ｂ付近で生じるおそれのある静電気が、器体２に収納した回路基板部１３に放電したり、回路基板部１３で発生した熱が操作摘子２４に伝わって、操作摘子２４の温度が上昇してしまうことを防止することができる。そして、化粧プレート２５は、操作摘子２４を開口部２５ａから表面側へ突出させるとともに、凹部２５ｂにカバー４を収納して、カバー４に形成された４つの係止孔４ｅに係止突起２５ｃを引掛係止して取り付けられている。
【００３７】
以上により構成された調光装置１においては、操作軸１４ａを所定角度に位置させて、駆動部１７の押圧片によってアクチュエータ１５ａを押圧してスイッチ１５を駆動し、外部電源と照明負荷との間の通電がオフとなっている状態を初期状態としている。このとき、図２（ｂ）に示すように、操作摘子２４に設けたクリック用突部２４ｄが、カバー４の突出部２０に突設した突起２０ｂ，２０ｃ間に位置して、両突起２０ｂ，２０ｃと当接するようにしてあり、また操作摘子２４の表面部に形成した目印２６が下方向を向くようにしてある。加えて、初期状態においては、駆動部１７の規制突起１７ｃが収納部２０ａに設けた規制リブ２１の下限規制部２１ａに当接して、限度を超えて操作摘子２４を回転操作できないようにしてあり、これによりボリューム１４が破損することを防止している。
【００３８】
次に、本発明の調光装置１の動作について説明する。調光装置１は、上記の初期状態においては、駆動部１７の押圧片によってスイッチ１５のアクチュエータ１５ａが押圧されて、外部電源と照明負荷との間の通電がオフとなっているために、照明負荷は完全に消灯している。そして、照明負荷を点灯するために、照明負荷の調光レベルを上げる方向（図２（ｂ）における時計回り方向）に操作摘子２４を回転させると、クリック用突部２４ｄが突起２０ｂを乗り越えるとともに、駆動部１７の押圧片によるスイッチ１５のアクチュエータ１５ａの押圧が解除されて、外部電源から照明負荷への通電が開始される。このとき、クリック用突部２４ｄが突起２０ｂを乗り越えたことによるクリック感を得ることができるから、照明負荷が消灯から点灯になったことを確実に知ることができる。
【００３９】
そして照明負荷が点灯した後に、さらに調光レベルを上げる方向に操作摘子２４を回転していけば、やがて調光レベルが最大となる。このとき、駆動部１７の規制突起１７ｃが収納部２０に設けた規制リブ２１の上限規制部２１ｂに当接して、限度を超えて操作摘子２４を回転操作できないようにしてあり、これによりボリューム１４が破損することを防止している。また、このように規制突起１７ｃが上限規制部２１ｂに当接することによって、照明負荷の調光レベルが最大となっていることを知ることができる。
【００４０】
この後に、照明負荷を消灯するために調光レベルを下げる方向（図２（ｂ）における反時計回り方向）に操作摘子２４を回転させていくと、やがてクリック用突部２４ｄが突起２０ｂに当接して、照明負荷の調光レベルが最小となる。このとき、クリック用突部２４ｄが突起２０ｂに当接したことによる操作感を得ることができて、これにより、照明負荷の調光レベルが最小となっていることを知ることができる。
【００４１】
さらに操作摘子２４を調光レベルを下げる方向に回転させて、クリック用突部２４ｄに突起２０ｂを乗り越えさせると、駆動部１７の押圧片がスイッチ１５のアクチュエータ１５ａを押圧して、外部電源と照明負荷との間の通電をオフし、照明負荷が完全に消灯される。このとき、クリック用突部２４ｄが突起２０ｂを乗り越えたことによるクリック感を得ることができるから、照明負荷が消灯されたことを知ることができるのである。
【００４２】
本発明の照明装置１によれば、操作軸１４ａが挿通される挿通孔４ｂの周辺部を突出させて形成した突出部２０の外周面に突起２０ｂを突設するとともに、この突起２０ｂを乗り越えるクリック用突部２４ｄを操作摘子２４に突出部２０を収納するために形成した凹部２４ａの内側面に突設してあり、この突起２０ｂをクリック用突部２４ｄが乗り越えることでクリック感が得られるから、部品点数を増加することなくクリック感を確保することができる。
【００４３】
加えて、操作摘子２４に形成した凹部２４ａに突出部２０が収納されているので、操作摘子２４を挿通するために挿通孔４ｂを大きくする必要がなくなり、そのため操作軸１４ａに対して挿通孔４ｂの内周面を近接させて器体２表面から内部への沿面距離を長くすることができ、これにより、操作摘子２４を回転操作した際に生じる静電気が器体２内部へ放電し難くなるとともに、器体２に収納されている回路基板部１３のスイッチング素子１６等で発生した熱も、操作摘子２４に伝わり難くなるから、耐静電気性が向上するとともに操作摘子２４の温度上昇を防止することができる。
【００４４】
さらに、クリック感を得るための突起２０ｂをカバー４の一部を表面側に突出させた突出部２０の外周面に突設して、この突出部２０の裏部に収納部２０ａを形成して、調光装置１の内部部品である駆動部１７を収納しているので、スペースを有効利用することができる。尚、このような収納部２０ａに収納される内部部品は駆動部１７に限られるものではなく、状況に応じて、収納する内部部品を適宜選択することとしてもよい。
【００４５】
ところで、図６（ｂ）に示す従来の調光装置１０１では、クリック感を得るための部位が調光装置の組み込み方向（ボディへの各部材の取り付け方向）において乗り越え自在となっているが、この場合、組み込み誤差が積み重なってしまうために、クリック感への影響が大きく、例えば組み立て誤差によって操作摘子１０８とカバー１０３との間に隙間が生じ、このために凹部１０９と係合突起１０３ｂとが離間して乗り越えによるクリック感を得ることができなくなるというおそれがあった。これに対して、本発明の調光装置１では、図２に示すように、調光装置１の組み込み方向に対して交差する方向において、クリック用突部２４ｄが突起２０ｂを乗り越えることになるから、操作摘子２４とカバー４との組み立て誤差の影響しか受けず、これにより組み込み誤差の影響が非常に小さくなり、良好なクリック感を確実に得ることができるのである。
【００４６】
一方、カバー４には、上述したように押さえリブ２３が設けてあり、この押さえリブ２３は、小さく簡単な形状であるにも関わらず、解除レバー押さえ、回路基板部押さえ、電線ストッパ、端子部の絶縁距離の確保といった機能を備えているため、これらの機能を得るために必要な部品点数を減らして、製造コストを削減することができる。
【図面の簡単な説明】
【００４７】
【図１】本発明の調光装置の断面図である。
【図２】（ａ）は、同上の調光装置の表面図であり、（ｂ）は、同図（ａ）の要部の透視図である。
【図３】（ａ）は、本発明の調光装置の表側上方から見た分解斜視図であり、（ｂ）は、同図（ａ）のＡ部の拡大図である。
【図４】（ａ）は、本発明の調光装置の裏側下方から見た分解斜視図であり、（ｂ）は、同図（ａ）のＢ部の拡大図である。
【図５】（ａ）は、本発明の調光装置の裏側下方から見た概略説明図であり、（ｂ）は、同上の調光装置の下方から見た透視図であり、（ｃ）は本発明の調光装置のカバーの裏方から見た斜視図である。
【図６】（ａ）は、従来の調光装置の前面図であり、（ｂ）は、同図（ａ）の調光装置のａ−ａ矢視線における断面図であり、（ｃ）は、同図（ｂ）のｂ−ｂ矢視線における断面図である。
【符号の説明】
【００４８】
１    照明装置
２    器体
４ｂ  挿通孔
１４    ボリューム
１４ａ  操作軸
２０    突出部
２０ａ  収納部
２０ｃ  突起  
２４    操作摘子
２４ａ  凹部
２４ｂ  鍔部
２４ｃ  嵌合部
２４ｄ  クリック用突部
２４ｅ  突起部
【図１】
2006012637.tif 000003
【図２】
2006012637.tif 000004
【図３】
2006012637.tif 000005
【図４】
2006012637.tif 000006
【図５】
2006012637.tif 000007
【図６】
2006012637.tif 000008